【手続補正書】
【提出日】平成18年11月2日(2006.11.2)
【手続補正１】
【補正対象書類名】明細書
【補正対象項目名】特許請求の範囲
【補正方法】変更
【補正の内容】
【特許請求の範囲】
【請求項１】  少なくとも１つのデインターリーブ器およびデコーダを含むシステムのメモリ要求を減少させる方法であって、前記システムが複数のチャネルのための複数のシンボルを受信するように構成されかつ取り決められる方法において、
前記シンボルを受信するために利用可能なメモリに複数のバッファを形成し、前記バッファの各々が複数のチャンクを含み、各チャンクは最小でｎ／ｘ（ｎはあるフレーム期間でのシンボル数を示し、ｘはチャネル数を示す）のロケーションを有し、
前記複数のチャネルの少なくともいくつかのチャネルのためのフレーム周期から少なくとも一部のシンボルを前記チャンクのうちの対応するチャンクに受信し記憶し、前記チャンクのうちの前記対応するチャンクの各々が前記チャネルのうちの前記対応するチャネルのみのシンボルを記憶して、
前記シンボルが前記フレーム周期の全フレーム周期中に前記チャンクに記憶された後、前記複数のチャネルの前記少なくともいくつかのためのフレーム周期中に受信された前記シンボルを復号化し、
前記チャンクが復号化された前記シンボルを記憶し、付加シンボルを受信するために利用可能な前記チャンクを形成する
ことを特徴とする方法。
【請求項２】  前記チャネルのための前記受信されたシンボルを記憶するための前記バッファの全容量数が、全ての前記チャネルのための前記シンボルの前記フレーム周期のうちの２つの全フレーム周期を記憶するために必要とされる前記バッファの全容量数よりも小さいことを特徴とする請求項１に記載の方法。
【請求項３】  前記フレーム周期中に受信された前記シンボルを復号化することは連続的に実行されることを特徴とする請求項１に記載の方法。
【請求項４】  前記複数の前記チャネル数が８チャネルであることを特徴とする請求項１に記載の方法。
【請求項５】  ３８４のシンボルの全積算容量を有するチャンクの数が、前記フレーム周期の各々中に復号化される前記チャネルの各々に対する前記付加シンボルを記憶するために利用されることを特徴とする請求項１に記載の方法。
【請求項６】  前記チャンクの各々が１９２のシンボルを記憶する容量を有することを特徴とする請求項１に記載の方法。
【請求項７】  少なくとも１つのデインターリーブ器およびデコーダを含み、複数のチャネルのための複数のシンボルを受信するように構成され、かつ取り決められる組合せであって、
前記シンボルを受信するために利用可能な複数のバッファ領域を含む少なくとも１つのメモリであって、前記バッファ領域の各々が複数のチャンクを含み、各チャンクは最小でｎ／ｘ（ｎはあるフレーム期間でのシンボル数を示し、ｘはチャネル数を示す）のロケーションを有するメモリと、
前記複数のチャネルの少なくともいくつかのチャネルのためのフレーム周期の少なくとも一部の間で受信される前記シンボルを前記チャンクのうちの対応するチャンクに受信し記憶する手段であって、前記チャンクのうちの前記対応チャンクの各々が、前記チャネルのうちの対応するチャネルだけのシンボルを記憶する手段と、
前記複数のチャネルの前記少なくともいくつかのチャネルのための前記シンボルが前記フレーム周期の全フレーム期間中に前記チャンクに受信された後、前記複数のチャネルの少なくともいくつかのチャネルのための前記シンボルを復号化する手段と、
復号化される前記シンボルを記憶し、付加シンボルを受信するために利用可能な前記チャンクを形成する手段と、
を具備することを特徴とする組合せ。
【請求項８】  前記複数のチャネルのための前記受信された複数のシンボルを記憶するための前記バッファ領域の全容量数が、前記チャネルの全てのための２つの全フレーム周期にとっての前記シンボルを記憶するために必要とされる前記バッファ領域の全容量数よりも小さいことを特徴とする請求項７に記載の組合せ。
【請求項９】  前記復号化する手段が前記シンボルを連続的に復号化するように取り決められることを特徴とする請求項７に記載の組合せ。
【請求項１０】  前記チャネル数が８チャネルであることを特徴とする請求項７に記載の組合せ。
【請求項１１】  ３８４のシンボルの全積算容量を有するチャンクの数が、前記フレーム周期の各々中に復号化される前記チャネルの各々に対する前記付加シンボルを記憶するために利用されることを特徴とする請求項７に記載の組合せ。
【請求項１２】  前記チャンクの各々が１９２のシンボルを記憶する容量を有することを特徴とする請求項７に記載の組合せ。
【請求項１３】  複数のチャネルのための複数のシンボルを受信するように構成され、かつ取り決められる組合せであって、
前記シンボルを受信するために利用可能な複数のバッファ領域を含む少なくとも１つのメモリであって、前記バッファ領域の各々が複数のチャンクを含み、各チャンクは最小でｎ／ｘ（ｎはあるフレーム期間でのシンボル数を示し、ｘはチャネル数を示す）のロケーションを有するメモリと、
少なくともフレーム周期の一部の間に前記複数のチャネルの少なくともいくつかのために、前記シンボルを受信するように取り決められる少なくとも１つのデインターリーブ器であって、前記少なくとも１つのデインターリーブ器が、前記受信されたシンボルを前記チャンクのうちの対応するチャンクに記憶するように取り決められ、前記チャンクのうちの前記対応するチャンクが、前記チャネルのうちの対応するチャネルだけのシンボルを記憶するデインターリーブ器と、
前記複数のチャネルの前記少なくともいくつかのチャネルのための前記シンボルが前記フレーム周期の全期間中に前記少なくとも１つのデインターリーブ器から前記チャンクに受信された後、前記複数のチャネルの少なくともいくつかのための前記シンボルを復号化するように取り決められるデコーダと、
復号化される前記シンボルを記憶し、付加シンボルを受信するのに利用可能な前記チャンクを形成する手段と、
を具備することを特徴とする組合せ。
【請求項１４】  前記複数のチャネルのための前記受信された複数のシンボルを記憶するための前記バッファ領域の全容量数が、前記チャネルの全てのための２つの全フレーム周期にとっての前記シンボルを記憶するために必要とされる前記バッファ領域の全容量数よりも小さいことを特徴とする請求項１３に記載の組合せ。
【請求項１５】  前記デコーダが前記シンボルを連続的に復号化するように取り決められることを特徴とする請求項１３に記載の組合せ。
【請求項１６】  前記チャネル数が８チャネルであることを特徴とする請求項１３に記載の組合せ。
【請求項１７】  ３８４のシンボルの全積算容量を有するチャンクの数が、前記フレーム周期の各々中に復号化される前記チャネルの各々に対する前記付加シンボルを記憶するのに利用されることを特徴とする請求項１３に記載の組合せ。
【請求項１８】  前記チャンクの各々が１９２のシンボルを記憶する容量を有することを特徴とする請求項１３に記載の組合せ。
【請求項１９】  制御回路構成をさらに含み、前記制御回路構成は、
少なくとも４つのビットを含むカウンタであって、第１の所定の時間間隔毎に増分されるように取り決められるカウンタと、
前記カウンタの前記少なくとも４ビットのうちの少なくとも３ビットを受信するように取り決められるレジスタであって、前記カウンタの前記少なくとも３ビットが特定のフレーム周期を示し、前記レジスタが、第２の所定の時間間隔毎に前記少なくとも３ビットを受信可能にされ、前記第２の所定の時間間隔が前記第１の所定の時間間隔よりも大きいレジスタと、
前記レジスタと、前記デコーダによって読み込まれる少なくともチャネル数の一部の指示を行うように取り決められるＲＤチャネルインジケータと、前記デコーダからのＲＤセカンドハーフインジケータと、から前記少なくとも３ビットを受信するように取り決められる第１の連結器であって、前記ＲＤセカンドハーフインジケータが、シンボルのフレームの第１あるいはセカンドハーフが読み込まれるべきであるか否かの指示を与えるように取り決められる第１の連結器と、
前記第１の所定の時間間隔の各々中で前記カウンタから前記少なくとも４ビットを受信し、受信される少なくとも１つのチャネルに対応するチャネル数の指示を与えるように取り決められるＷＲチャネルインジケータを受信するように取り決められる第２の連結器と、
前記第１の連結器からの出力および前記第２の連結器からの出力を受信するように取り決められるマルチプレクサであって、前記マルチプレクサに提供される信号に基づいて、前記第１の連結器からの前記受信された出力および前記第２の連結器からの前記受信された出力のうち１つを出力として選択するように取り決められたマルチプレクサと、
を具備することを特徴とする請求項１３に記載の組合せ。
【請求項２０】  制御回路構成をさらに含み、前記制御回路構成は、
少なくとも４つのビットを含むカウンタであって、第１の所定の時間間隔毎に増分されるように取り決められるカウンタと、
前記カウンタの前記少なくとも４ビットのうちの少なくとも３ビットを受信するように取り決められる１の減算ブロックであって、前記カウンタの前記少なくとも３ビットが特定のフレーム周期を示す１の減算ブロックと、
前記前記１の減算ブロックからの出力と、前記デコーダによって読み込まれる少なくともチャネル数の一部の指示を与えるように取り決められるＲＤチャネルインジケータと、前記デコーダからのＲＤセカンドハーフインジケータとを受信するように取り決められる第１の連結器であって、前記ＲＤセカンドハーフインジケータが、シンボルのフレームの第１あるいはセカンドハーフが読み込まれるべきであるか否かの指示を与えるように取り決められる第１の連結器と、
前記第１の所定の時間間隔の各々中で前記カウンタから前記少なくとも４ビットを受信し、受信される少なくとも１つのチャネルに対応するチャネル数の指示を与えるように取り決められるＷＲチャネルインジケータを受信するように取り決められる第２の連結器と、
前記第１の連結器からの出力および前記第２の連結器からの出力を受信するように取り決められるマルチプレクサであって、前記マルチプレクサに提供される信号に基づいて、前記第１の連結器からの前記受信された出力および前記第２の連結器からの前記受信された出力のうちの１つを出力として選択するように取り決められるマルチプレクサと、
を具備することを特徴とする請求項１３に記載の組合せ。
【請求項２１】  フレーム番号およびチャネル番号の指示に基づいて、前記複数のバッファから読み込むべきバッファを識別する手段をさらに含むことを特徴とする請求項７に記載の組合せ。
【請求項２２】  フレーム番号およびチャネル番号の指示に基づいて、前記複数のバッファから書き込むべきバッファを識別する手段をさらに含むことを特徴とする請求項７に記載の組合せ。
【請求項２３】  フレーム番号およびチャネル番号の指示に基づいて、前記複数のバッファから読み込むべきバッファを識別する手段をさらに含むことを特徴とする請求項１３に記載の組合せ。
【請求項２４】  フレーム番号およびチャネル番号の指示に基づいて、前記複数のバッファから書き込むべきバッファを識別する手段をさらに含むことを特徴とする請求項１３に記載の組合せ。